(57)【要約】【課題】組立性及び放熱性を向上させることのできる導光基板、導光基板の組立体、及び導光ユニットを提供する。【解決手段】導光基板４１は、複数の導光路６３を有する導光部材６１と、導光部材６１を保持する保持板４２とを備える。複数の導光路６３は、保持板４２の板面に沿って、互いに間隔をおいて並列に配置されている。保持板４２には、隣り合う導光路６３の間の隙間に対応する部分に、それぞれ貫通孔５３ｘ，５３ｙが設けられている。複数の導光路６３は、屈曲させられた部分である屈曲部６４をそれぞれ有している。貫通孔５３ｘ，５３ｙは、上記隙間に対応する部分において、屈曲部６４に隣接する部分を挟んで両側にそれぞれ設けられている。【選択図】      図５
2012168419.tif 000002
【特許請求の範囲】
【請求項１】
複数の導光路を有する導光部材と、前記導光部材を保持する保持板とを備える導光基板であって、
前記複数の導光路は、前記保持板の板面に沿って、互いに間隔をおいて並列に配置されており、
前記保持板には、隣り合う前記導光路の間の隙間に対応する部分に、それぞれ貫通孔が設けられていることを特徴とする導光基板。
【請求項２】
前記複数の導光路は、屈曲させられた部分である屈曲部をそれぞれ有しており、
前記貫通孔は、前記隙間に対応する部分において、前記屈曲部に隣接する部分を挟んで両側にそれぞれ設けられている請求項１に記載の導光基板。
【請求項３】
複数の前記屈曲部は連なるように配置されており、
前記保持板には、前記隙間に対応する部分において、隣り合う前記屈曲部の間を埋めるように突出する突出部が設けられている請求項２に記載の導光基板。
【請求項４】
前記保持板は矩形状に形成されており、
複数の前記屈曲部は前記保持板の対角線に沿って連なるように配置されている請求項３に記載の導光基板。
【請求項５】
前記保持板は、矩形状に形成され、一辺に沿って板面に垂直な方向へ張り出した張出部を有し、
前記導光路の１つは、前記張出部の側面に当たっており、前記側面の方向が前記張出部によって覆われている請求項２〜４のいずれか1項に記載の導光基板。
【請求項６】
前記保持板には、前記隙間に対応する部分において、前記張出部の設けられた一辺と向かい合う一辺に沿った部分に、隣り合う前記導光路の間を埋めるように突出する突出部が設けられている請求項５に記載の導光基板。
【請求項７】
前記貫通孔は、隣り合う前記導光路の間隔と等しい幅で形成されている請求項１〜６のいずれか1項に記載の導光基板。
【請求項８】
請求項１〜７のいずれか1項に記載の導光基板を複数備え、
対応する前記貫通孔が重なるように複数の前記導光基板が積層されていることを特徴とする導光基板の組立体。
【請求項９】
請求項８に記載の導光基板の組立体と、前記組立体の複数の導光基板が積層された状態を保持するカバーとを備え、
前記カバーには、前記貫通孔に対向する部分に貫通孔が設けられていることを特徴とする導光ユニット。
【請求項１０】
請求項５又は６に記載の導光基板を複数備え、
前記貫通孔が重なるように複数の前記導光基板が積層された導光基板の組立体と、前記組立体の複数の導光基板が積層された状態を保持するカバーとを備え、
前記カバーは、前記組立体において前記導光路の両端部及び前記張出部の双方が配置されていない側面を覆うとともに、前記貫通孔に対向する部分に貫通孔が設けられていることを特徴とする導光ユニット。
【請求項１１】
前記カバーに設けられた貫通孔は、前記保持板に設けられた対向する貫通孔と同一寸法にされている請求項９又は１０に記載の導光ユニット。
【発明の詳細な説明】
【技術分野】
【０００１】
本発明は、複数の導光路を有する導光部材を保持してなる導光基板、導光基板の組立体、及びその組立体を備える導光ユニットに関する。
【背景技術】
【０００２】
従来、配列されたＬＥＤチップからの射出光を、Ｌ字状の複数の導光路を連結した導光部材により表示部に導く導光ユニットがある（例えば、特許文献１参照）。この特許文献１に記載の導光ユニットでは、導光部材を支持台板の上下両面に重ね合わせ、導光部材の一部を支持台板に起立形成した位置決めリブの間に嵌め込んで保持している。このため、導光部材と支持台板との組立体を形成することができ、導光ユニットの組立性を向上させることができる。
【先行技術文献】
【特許文献】
【０００３】
【特許文献１】特開２００９−２２２９５７号公報
【発明の概要】
【発明が解決しようとする課題】
【０００４】
ところで、特許文献１に記載の導光ユニットでは、導光部材を組立体とするために、支持台板を用いている。このため、支持台板の板面に対向する位置に発熱部が存在する場合に、発熱部からの放熱が支持台板によって遮られるおそれがある。
【０００５】
本発明は、こうした実情に鑑みてなされたものであり、その主たる目的は、組立性及び放熱性を向上させることのできる導光基板、導光基板の組立体、及び導光ユニットを提供することにある。
【課題を解決するための手段】
【０００６】
本発明は、上記課題を解決するために、以下の手段を採用した。
【０００７】
第１の発明は、複数の導光路を有する導光部材と、前記導光部材を保持する保持板とを備える導光基板であって、前記複数の導光路は、前記保持板の板面に沿って、互いに間隔をおいて並列に配置されており、前記保持板には、隣り合う前記導光路の間の隙間に対応する部分に、それぞれ貫通孔が設けられていることを特徴とする。
【０００８】
上記構成によれば、導光基板では、複数の導光路を有する導光部材が、保持板により保持されているため、導光基板と他の部品との組立性や、複数の導光基板の組立性を向上させることができる。
【０００９】
ここで、複数の導光路は、保持板の板面に沿って、互いに間隔をおいて並列に配置されているため、隣り合う導光路の間にはそれぞれ隙間が形成されている。そして、保持板には、隣り合う導光路の間の隙間に対応する部分に、それぞれ貫通孔が設けられている。このため、隣り合う導光路の間の各隙間を有効に利用して、貫通孔を通じて放熱させることが可能となる。その結果、導光基板の板面に対向する位置に発熱部が存在する場合であっても、発熱部からの放熱性を向上させることができる。
【００１０】
なお、貫通孔を通じて放熱させる構成として、貫通孔を通じて空気を流通させる構成、貫通孔を通じて熱を輻射する構成、貫通孔を通じて熱線を放射する構成が含まれる。
【００１１】
第２の発明では、前記複数の導光路は、屈曲させられた部分である屈曲部をそれぞれ有しており、前記貫通孔は、前記隙間に対応する部分において、前記屈曲部に隣接する部分を挟んで両側にそれぞれ設けられている。
【００１２】
上記構成によれば、複数の導光路は、屈曲させられた部分である屈曲部をそれぞれ有しているため、導光部材に入射する光の進行方向を変更させて照射させることができる。そして、貫通孔は、前記隙間に対応する部分において、屈曲部に隣接する部分を挟んで両側にそれぞれ設けられている。このため、屈曲部を有する導光路であっても、少なくとも屈曲部に隣接する部分を除く両側には貫通孔が設けられているため、放熱性が低下することを抑制することができる。
【００１３】
第３の発明では、複数の前記屈曲部は連なるように配置されており、前記保持板には、前記隙間に対応する部分において、隣り合う前記屈曲部の間を埋めるように突出する突出部が設けられている。
【００１４】
上記構成によれば、複数の屈曲部は連なるように配置されているため、複数の導光路を保持板に配置する際の面積効率を向上させることができる。そして、保持板には、前記隙間に対応する部分において、隣り合う屈曲部の間を埋めるように突出する突出部が設けられている。このため、導光路の屈曲部から漏れる光を突出部により遮ることができる。さらに、連なるように配置された複数の屈曲部の間を突出部で埋めることにより、突出部を介して複数の屈曲部が繋がることとなり、導光基板の強度を向上させることができる。
【００１５】
第４の発明では、前記保持板は矩形状に形成されており、複数の前記屈曲部は前記保持板の対角線に沿って連なるように配置されている。このため、隣り合う屈曲部の間を埋めるように突出する突出部も、保持板の対角線に沿って配置され、複数の突出部が保持板を補強する筋交いの役割を果たすこととなる。さらに、突出部（屈曲部）まで延びる導光路が、筋交いにより支持される柱の役割を果たすことにもなる。したがって、前記隙間に対応する部分において、突出部の面積を小さくして貫通孔の面積を大きくしたとしても、導光基板の強度を効果的に向上させることができる。
【００１６】
第５の発明では、前記保持板は、矩形状に形成され、一辺に沿って板面に垂直な方向へ張り出した張出部を有し、前記導光路の１つは、前記張出部の側面に当たっており、前記側面の方向が前記張出部によって覆われている。
【００１７】
上記構成によれば、保持板は、矩形状に形成され、一辺に沿って板面に垂直な方向へ張り出した張出部を有しているため、張出部が補強リブの役割を果たすこととなる。そして、導光路の１つは、張出部の側面に当たっているため、保持板に導光部材を組み付ける際に、張出部で導光部材の位置決めを行うことができ、組み付けの作業性を向上させることができる。さらに、導光路において張出部の側面の方向が張出部によって覆われているため、導光基板の外部から導光路へ意図しない光が入り込むことを抑制することができる。
【００１８】
第６の発明では、前記隙間に対応する部分において、前記張出部の設けられた一辺と向かい合う一辺に沿った部分に、隣り合う前記導光路の間を埋めるように突出する突出部が設けられている。このため、矩形状の保持板の一辺（例えば導光基板の照射部）において、導光路から漏れる光を突出部により遮ることができる。さらに、突出部は、保持板の一辺に沿った部分において、複数の導光路の間を埋めているため、突出部を介して複数の導光路が繋がることとなり、導光基板の強度を向上させることができる。
【００１９】
第７の発明では、前記貫通孔は、隣り合う前記導光路の間隔と等しい幅で形成されているため、導光路の間の各隙間において全幅にわたって貫通孔を形成することができる。そして、保持板において、導光路と重なる部分には貫通孔が設けられておらず、放熱性の向上に寄与しない部分は残されている。したがって、放熱性を更に向上させつつ、導光基板の強度が低下することを抑制することができる。
【００２０】
第８の発明では、導光基板の組立体は、請求項１〜７のいずれか1項に記載の導光基板を複数備え、対応する前記貫通孔が重なるように複数の前記導光基板が積層されていることを特徴とする。
【００２１】
上記構成によれば、導光基板の組立体では、複数の導光基板が積層されているため、その積層された状態でまとめて取り扱うことが可能となり、導光基板の組立体と他の部品との組立性を向上させることができる。さらに、対応する前記貫通孔が重なるように複数の導光基板が積層されているため、複数の導光基板を組み立てた組立体であっても、重なって配置された複数の導光基板の貫通孔を通じて放熱させることが可能となる。その結果、導光基板の組立体において、導光基板の板面に対向する位置に発熱部が存在する場合であっても、発熱部からの放熱性を向上させることができる。
【００２２】
特に、第５の発明の導光基板を複数備える場合には、複数の前記張出部によって導光基板の組立体の１つの側面全体が覆われることとなる。このため、導光基板の組立体を覆うカバーの一部を省略することができ、カバーの構造を簡素化することができる。さらに、複数の前記張出部によって、導光基板の組立体の外部から導光路へ意図しない光が入り込むことを抑制することができる。
【００２３】
また、第７の発明の導光基板を複数備える場合には、導光路の間の各隙間において貫通孔の面積を拡大させることができる。このため、複数の導光基板を積層した場合であっても、重なって配置された複数の貫通孔において、放熱性が低下することを抑制することができる。
【００２４】
第９の発明では、導光ユニットは、請求項８に記載の導光基板の組立体と、前記組立体の複数の導光基板が積層された状態を保持するカバーとを備え、前記カバーには、前記貫通孔に対向する部分に貫通孔が設けられている。
【００２５】
上記構成によれば、導光基板の組立体において複数の導光基板が積層されており、複数の導光基板の積層された状態がカバーによって保持される。そして、カバーには、保持板に設けられた貫通孔に対向する部分に貫通孔が設けられている。このため、導光基板の組立体にカバーを組み付けた導光ユニットであっても、組立体の貫通孔及びカバーの貫通孔を通じて放熱させることが可能となる。その結果、導光ユニットにおいて、カバーの貫通孔が設けられた面に対向する位置に発熱部が存在する場合であっても、発熱部からの放熱性を向上させることができる。
【００２６】
第１０の発明では、導光ユニットは、請求項５又は６に記載の導光基板を複数備え、前記貫通孔が重なるように複数の前記導光基板が積層された導光基板の組立体と、前記組立体の複数の導光基板が積層された状態を保持するカバーとを備え、前記カバーは、前記組立体において前記導光路の両端部及び前記張出部の双方が配置されていない側面を覆うとともに、前記貫通孔に対向する部分に貫通孔が設けられていることを特徴とする。
【００２７】
上記構成によれば、第８の発明と同様の構成を備えているため、導光基板の組立体において、導光基板の板面に対向する位置に発熱部が存在する場合であっても、発熱部からの放熱性を向上させることができる。また、第９の発明と同様の構成を備えているため、導光ユニットにおいて、カバーの貫通孔が設けられた面に対向する位置に発熱部が存在する場合であっても、発熱部からの放熱性を向上させることができる。
【００２８】
さらに、カバーは、導光基板の組立体において前記導光路の両端部及び前記張出部の双方が配置されていない側面を覆っている。そして、第５の発明の導光基板を複数備えているため、複数の前記張出部によって導光基板の組立体の１つの側面全体が覆われている。したがって、導光基板の組立体に上記カバーを取り付けるだけで、組立体の複数の導光基板が積層された状態を保持するとともに、組立体において導光路の両端部が配置されていない側面を全て覆うことができる。このとき、導光基板の組立体において前記張出部の配置されている側面を覆わないカバーを用いることにより、積層された導光基板のずれ等を確認や修正しながら組み付けることが容易となる。その結果、導光ユニットの組立性を向上させることができるとともに、組み立て後には導光基板の外部から導光路へ意図しない光が入り込むことを抑制することができる。
【００２９】
第１１の発明では、前記カバーに設けられた貫通孔は、前記保持板に設けられた対向する貫通孔と同一寸法にされている。すなわち、保持板の貫通孔に対して、カバーの貫通孔が小さ過ぎたり、大き過ぎたりしていない。このため、保持板の貫通孔からカバーの貫通孔へ効率的に放熱させるとともに、カバーの外部から導光路へ意図しない光が入り込むことを抑制することができる。
【図面の簡単な説明】
【００３０】
【図１】導光ユニットとプリント基板とを示す分解斜視図。
【図２】導光ユニットを示す分解斜視図。
【図３】導光部材を示す正面図。
【図４】保持板を示す正面図。
【図５】導光基板を示す斜視図。
【図６】導光ユニットを示す斜視図。
【図７】保持板の変形例を示す正面図。
【図８】保持板の他の変形例を示す正面図。
【図９】保持板の他の変形例を示す斜視図。
【図１０】カバーの変形例を示す斜視図。
【図１１】カバーの他の変形例を示す斜視図。
【発明を実施するための形態】
【００３１】
以下、一実施形態について、図面を参照しつつ説明する。本実施形態は、ＰＬＣ（Programmable Logic Controller）において、プリント基板上のＬＥＤチップから表示部まで光を導く導光ユニットとして具体化している。初めに、図１を参照して、ＰＬＣと導光ユニットとの関係を説明する。
【００３２】
図１は、導光ユニットとプリント基板とを示す分解斜視図である。同図に示すように、ＰＬＣ１０は、プリント基板１１と、導光ユニット２０と、領域Ａに配置される発熱部とを備えている。これらプリント基板１１、導光ユニット２０、及び発熱部は、ＰＬＣ１０の筺体内に収容される。なお、同図では、図の上方を鉛直上方、図の下方を鉛直下方として表示している。
【００３３】
プリント基板１１は、矩形板状に形成されており、その板面が垂直となる（鉛直方向に沿う）ように筺体内に配置される。プリント基板１１は、電気回路等を備えており、ＰＬＣ１０の機能を発揮させる。プリント基板１１には、基板１１の一方の短辺（上端）から所定間隔だけ離れた位置に、一対の凹部１２が設けられている。凹部１２は、互いに所定の間隔だけ離して設けられている。
【００３４】
プリント基板１１には、複数のＬＥＤチップ１３（発行素子）が設けられている。複数のＬＥＤチップ１３は、凹部１２と基板１１の一方の短辺との間に、配列されている。複数のＬＥＤチップ１３は、基板１１の一方の短辺から等間隔で、短辺に平行な複数の列をなすように配置されている。複数のＬＥＤチップ１３は、全体として矩形状をなすように配列されている。具体的には、基板１１の短辺に平行に４列、基板１１の長辺に平行に８列を形成している。
【００３５】
導光ユニット２０は、全体として直方体状に形成されている。導光ユニット２０は、導光基板の組立体４０と、カバー２１とを備えている。組立体４０は、複数の導光基板を備えており、全体として直方体状をなしている。カバー２１は、溝形をなしており、組立体４０に組み付けられている。
【００３６】
カバー２１は、一対の突出部２２と、一対の爪部２３とを供えている。溝形のカバー２１において、突出部２２は一方の側壁の先端部に設けられており、爪部２３は他方の側壁の先端部に設けられている。突出部２２は互いに所定の間隔だけ離して設けられており、爪部２３は互いに所定の間隔だけ離して設けられている。
【００３７】
そして、突出部２２が基板１１の上記凹部１２にそれぞれ係合され、爪部２３が基板１１の一方の短辺にそれぞれ係合される。こうして、基板１１に導光ユニット２０が組み付けられ、各ＬＥＤチップ１３に導光ユニット２０の各導光路の入射部が対向する。各ＬＥＤチップ１３から各導光路に光が入射すると、その光は導光路によりＰＬＣ１０の表示部へ導かれる。次に、導光ユニット２０の概要を説明する。
【００３８】
図２は、導光ユニット２０を示す分解斜視図である。同図に示すように、導光ユニット２０は、導光基板４１の組立体４０に、カバー２１を組み付けて構成される。
【００３９】
組立体４０は、４つ（複数）の導光基板４１を備えている。各導光基板４１は、保持板４２と導光部材６１とを備えている。保持板４２は、矩形板状に形成されている。導光部材６１は、複数の導光路６３を備えており、全体として矩形板状をなしている。各導光基板４１では、保持板４２の板面に沿うように、導光部材６１が組み付けられている。そして、４つの導光基板４１が積層されて、導光基板４１の組立体４０を構成している。このとき、４つの導光基板４１（保持板４２）の外縁が互いに一致しており、４つの導光部材６１において対応する導光路６３の水平方向の位置が一致している。次に、導光基板４１を構成する導光部材６１を説明する。
【００４０】
図３は、導光部材６１を示す正面図である。なお、導光部材６１がＰＬＣ１０に配置された場合には、同図に示される導光部材６１の面は下面となる。同図に示すように、導光部材６１は、アクリル樹脂等の透明樹脂により形成されており、「Ｌ」字状の複数の導光路６３を備えている。複数の導光路６３は、最も外側を通る導光路６３Ａから、最も内側を通る導光路６３Ｃまで長さが徐々に短くされている。各導光路６３は、それぞれ四角柱状に形成された横部分６３ｘ及び縦部分６３ｙと、それらの間の屈曲部６４とを備えている。横部分６３ｘと縦部分６３ｙとは直角をなしており、屈曲部６４において４５度に２回曲げられて接続されている。なお、最も短い導光路６３Ｃは、横部分６３ｘと屈曲部６４の半分のみ備えており、縦部分６３ｙを備えていない。
【００４１】
複数の横部分６３ｘにおいて、屈曲部６４とは反対側の端部付近が、連結部６５により連結されている。また、複数の縦部分６３ｙにおいて、屈曲部６４とは反対側の端部付近が、連結部６６により連結されている。なお、最も短い導光路６３Ｃと、その次に短い導光路６３Ｂは、連結部６６により連結されていない。すなわち、複数の屈曲部６４は、同一直線上に並ぶように連なって配置されており、導光路６３Ｃの屈曲部６４と導光路６３Ｂの屈曲部６４とに連結部６６が干渉しないようにされている。複数の屈曲部６４は全体として、矩形板状の導光部材６１において、略対角線に沿って連なるように配置されている。
【００４２】
複数の横部分６３ｘは、互いに等間隔で平行（並列）に配置されており、複数の縦部分６３ｙは、互いに等間隔で平行（並列）に配置されている。これら横部分６３ｘ、屈曲部６４、縦部分６３ｙは、同一の平面に沿うように配置されている。すなわち、これら横部分６３ｘ、屈曲部６４、縦部分６３ｙは、同一の平面上に並ぶように配置されている。連結部６５，６６は、上記平面よりも突出するように設けられている。
【００４３】
各縦部分６３ｙにおいて、連結部６６よりも端部側が、光の入射する入射部６７となっている。また、各横部分６３ｘにおいて、連結部６５よりも端部側が、光を射出する射出部６８となっている。すなわち、上記の各ＬＥＤチップ１３から各入射部６７へ入射する光は、各導光路６３により導かれて各射出部６８から射出する。詳しくは、入射部６７から入射する光は、縦部分６３ｙにより屈曲部６４へ導かれ、屈曲部６４により横部分６３ｘの方向へ反射される。そして、屈曲部６４で反射された光は、横部分６３ｘにより射出部６８へ導かれ、射出部６８から表示部へ射出される。なお、最も短い導光路６３Ｃでは、ＬＥＤチップ１３からの光は屈曲部６４へ直接入射される。導光路６３Ｃでは、入射部６７が省略されているため、導光部材６１の寸法を抑えつつ、より多くの導光路６３を設けることができる。次に、こうした導光部材６１を保持する保持板４２を説明する。
【００４４】
図４は、保持板４２を示す正面図である。なお、保持板４２がＰＬＣ１０に配置された場合には、同図に示される保持板４２の面は下面となる。同図に示すように、保持板４２は、不透明な樹脂により形成されており、矩形板状に形成されている。保持板４２には、上記の「Ｌ」字状の複数の導光路６３に対応して、「Ｌ」字状の複数の支持部４３が設けられている。また、隣り合う導光路６３の間の隙間に対応する部分に、貫通孔５３ｘ，５３ｙが設けられている。
【００４５】
詳しくは、導光路６３の横部分６３ｘに対応する部分が横支持部４３ｘとなっており、導光路６３の縦部分６３ｙに対応する部分が縦支持部４３ｙとなっている。そして、横支持部４３ｘの間の部分に横貫通孔５３ｘが設けられており、縦支持部４３ｙの間の部分に縦貫通孔５３ｙが設けられている。横部分６３ｘと横支持部４３ｘとが重なるように、これらの幅は等しくされている。また、縦部分６３ｙと縦支持部４３ｙとが重なるように、これらの幅は等しくされている。すなわち、隣り合う横部分６３ｘの間隔と、横貫通孔５３ｘの幅とが等しくされている。また、隣り合う縦部分６３ｙの間隔と、縦貫通孔５３ｙの幅とが等しくされている。
【００４６】
複数の支持部４３は、最も外側を通る支持部４３Ａから、最も内側を通る支持部４３Ｃまで長さが徐々に短くされている。各支持部４３において、横支持部４３ｘと縦支持部４３ｙとの間部分に屈曲部４３ｗが設けられている。この屈曲部４３ｗは、導光路６３の屈曲部６４に対応した形状となっている。そして、横支持部４３ｘと縦支持部４３ｙとは直角をなしており、屈曲部４３ｗにより接続されている。なお、最も短い支持部４３Ｃは、横支持部４３ｘと屈曲部４３ｗの半分のみ備えており、縦支持部４３ｙを備えていない。
【００４７】
複数の屈曲部４３ｗは、導光路６３の屈曲部６４に対応して、同一直線上に並ぶように連なって配置されている。複数の屈曲部４３ｗは全体として、矩形板状の保持板４２において、略対角線に沿って連なるように配置されている。
【００４８】
複数の横支持部４３ｘは、互いに等間隔で平行（並列）に配置されており、複数の縦支持部４３ｙは、互いに等間隔で平行（並列）に配置されている。これら横支持部４３ｘ、屈曲部４３ｗ、縦支持部４３ｙは、同一の平面に沿うように配置されている。このため、同一平面に沿うように配置された上記導光路６３の横部分６３ｘ、屈曲部６４、縦部分６３ｙを、横支持部４３ｘ、屈曲部４３ｗ、縦支持部４３ｙに沿わせて組み付けることができる。
【００４９】
隣り合う導光路６３の間の隙間に対応する部分、すなわち隣り合う支持部４３の間部分において、導光路６３の隣り合う屈曲部６４の間を埋めるように突出する突出部４４が設けられている。このため、横貫通孔５３ｘと縦貫通孔５３ｙとは、突出部４４（屈曲部６４に隣接する部分）を挟んで両側にそれぞれ設けられている。また、支持部４３の複数の屈曲部４３ｗは、突出部４４によりそれぞれ接続されている。
【００５０】
複数の横支持部４３ｘにおいて、屈曲部４３ｗとは反対側の端部が、それぞれ突出部４５により連結されている。また、複数の縦支持部４３ｙにおいて、屈曲部４３ｗとは反対側の端部が、それぞれ突出部４６により連結されている。突出部４５は、導光路６３の隣り合う横部分６３ｘの間の隙間に対応する部分において、隣り合う横部分６３ｘの間を埋めることが可能なように突出している。また、突出部４６は、導光路６３の隣り合う縦部分６３ｙの間の隙間に対応する部分において、隣り合う導光路６３における縦部分６３ｙの端部の間を埋めることが可能なように突出している。なお、最も短い支持部４３Ｃとその次に短い支持部４３Ｂでは、支持部４３の屈曲部４３ｗの間に突出する突出部４４と、縦部分６３ｙの端部の間を埋める突出部４６とが接続されている。このため、これら突出部４４，４６付近の強度を向上させることができる。
【００５１】
保持板４２において、導光部材６１の射出部６８に対応する短辺（突出部４５の設けられた短辺）と反対側の短辺には、その短辺に沿って保持板４２の板面に垂直な方向へ張り出した張出部４８が設けられている。この張出部４８の張り出し長さと、上記突出部４４，４５，４６の突出長さと、導光路６３の高さ（厚み）とは等しくなっている。このため、これらの表面は同一の平面上に位置することとなる。
【００５２】
縦部分６３ｙの端部の間を埋める突出部４６には、導光部材６１の連結部６６と係合する係合部４７が設けられている。係合部４７は、導光路６３の縦部分６３ｙよりも突出する連結部６６に対応して、突出部４６よりも突出するように設けられている。次に、こうした保持板４２に、導光部材６１が組み付けられた導光基板４１を説明する。
【００５３】
図５は、導光基板４１を示す斜視図である。なお、導光基板４１がＰＬＣ１０に配置された場合には、同図に示される導光基板４１の面は下面となる。同図に示すように、保持板４２において、導光部材６１の入射部６７が配置される部分には、入射部６７を囲むように壁部４９が設けられている。このため、ＬＥＤチップ１３から入射部６７へ入射される光が外部へ漏れることを抑制することができる。
【００５４】
そして、壁部４９で囲まれる空間に導光部材６１の入射部６７が挿入され、保持板４２の対角線に沿って連なるように配置された突出部４４の間に、導光部材６１の各屈曲部６４が配置されている。また、保持板４２において、上記張出部４８の設けられた一辺と向かい合う一辺に沿って設けられた突出部４５の間に、導光部材６１の各横部分６３ｘが配置されている。そして、保持板４２の係合部４７に、導光部材６１の連結部６６が係合している。最も外側を通る導光路６３Ａの側面が、保持板４２の張出部４８の側面に当たっており、導光路６３Ａの側面の方向が張出部４８によって覆われている。こうして、保持板４２により導光部材６１が保持され、導光基板４１が構成されている。複数の導光基板４１の向きを揃えて積層した場合には、張出部４８が隣接して設けられることにより、組立体４０の１つの側面全体が覆われる。
【００５５】
ここで、保持板４２の貫通孔５３ｘ，５３ｙは、導光部材６１の導光路６３とずれており、導光基板４１の表側の面と裏側の面とが連通している。すなわち、保持板４２において、隣り合う導光路６３の間の隙間に対応する部分に、それぞれ貫通孔５３ｘ，５３ｙが設けられている。そして、隣り合う導光路６３の間の隙間の間隔と、貫通孔５３ｘ，５３ｙの幅とが等しくなっている。横貫通孔５３ｘは、導光部材６１の横部分６３ｘに沿って設けられており、縦貫通孔５３ｙは、導光部材６１の縦部分６３ｙに沿って設けられている。
【００５６】
こうした導光基板４１において、ＬＥＤチップ１３から導光部材６１の入射部６７へ光が入射されると、縦部分６３ｙにより屈曲部６４へ導かれる。屈曲部６４へ導かれた光は、屈曲部６４により横部分６３ｘの方向へ反射される。このとき、屈曲部６４を透過する光は、保持板４２の突出部４４により遮られ、導光基板４１の外部へ漏れることが抑制される。そして、横部分６３ｘの方向へ反射された光は、横部分６３ｘにより射出部６８へ導かれる。このとき、横部分６３ｘの間部分に設けられた突出部４５により、横部分６３ｘから光が漏れることが抑制される。射出部６８へ導かれた光は、射出部６８からＰＬＣ１０の表示部へ射出される。次に、複数の導光基板４１が積層された組立体４０を説明する。
【００５７】
図２に示すように、組立体４０では、各保持板４２の横貫通孔５３ｘ同士、及び縦貫通孔５３ｙ同士が重なるように、複数の導光基板４１が向きを揃えて積層されている。このため、各貫通孔５３ｘ，５３ｙ、及び導光部材６１の導光路６３の間部分を通じて、組立体４０の下面から上面まで連通している。
【００５８】
上述したように、カバー２１は溝形をなしており、底壁２５と側壁２６Ａ，２６Ｂを備えている。側壁２６Ａ，２６Ｂには、保持板４２の横貫通孔５３ｘに対応する位置に横貫通孔３３ｘが設けられ、保持板４２の縦貫通孔５３ｙに対応する位置に縦貫通孔３３ｙが設けられている。すなわち、側壁２６Ａ，２６Ｂには、組立体４０にカバー２１を組み付けた状態において、横貫通孔５３ｘに対向する部分に横貫通孔３３ｘが設けられ、縦貫通孔５３ｙに対向する部分に縦貫通孔３３ｙが設けられている。カバー２１の横貫通孔３３ｘは、保持板４２の横貫通孔５３ｘと同一寸法に形成され、カバー２１の縦貫通孔３３ｙは、保持板４２の縦貫通孔５３ｙと同一寸法に形成されている。
【００５９】
カバー２１は、組立体４０において、導光路６３の端部となる入射部６７，射出部６８が設けられた側面、及び保持板４２の張出部４８が設けられた側面以外の側面を覆うように、組立体４０に組み付けられる。次に、組立体４０とカバー２１とが組み付けられた導光ユニット２０を説明する。
【００６０】
図６は、導光ユニット２０を示す斜視図である。同図に示すように、導光ユニット２０では、複数の張出部４８で構成される側面とカバー２１とで、組立体４０において導光路６３の入射部６７及び射出部６８が設けられた側面以外の４面が覆われている。これにより、４つの導光基板４１の積層された状態が、カバー２１により保持されている。
【００６１】
こうした導光ユニット２０がＰＬＣ１０に搭載され、導光ユニット２０の下方に電気抵抗や電力供給部等の発熱部が配置される。そして、導光ユニット２０により、ＬＥＤチップ１３からの光が表示部へ導かれる状態において、ＰＬＣ１０の動作に伴い発熱部で熱が発生する。発熱部で温められた空気は、導光ユニット２０の方向へ上昇し、カバー２１の貫通孔３３ｘ，３３ｙ、導光路６３の間の隙間、及び各保持板４２の貫通孔５３ｘ，５３ｙを通じて排出される。また、貫通孔３３ｘ，３３ｙ、導光路６３の間の隙間、及び各保持板４２の貫通孔５３ｘ，５３ｙを通じて、発熱部から輻射される熱をＰＬＣ１０の外部へ放出させることもできる。
【００６２】
以上詳述した本実施形態は以下の利点を有する。
【００６３】
・導光基板４１では、複数の導光路６３を有する導光部材６１が、保持板４２により保持されているため、導光基板４１と他の部品との組立性や、複数の導光基板４１の組立性を向上させることができる。ここで、複数の導光路６３は、保持板４２の板面に沿って、互いに間隔をおいて平行（並列）に配置されているため、隣り合う導光路６３の間にはそれぞれ隙間が形成されている。そして、保持板４２には、隣り合う導光路６３の間の隙間に対応する部分に、それぞれ貫通孔５３ｘ，５３ｙが設けられている。このため、隣り合う導光路６３の間の各隙間を有効に利用して、貫通孔５３ｘ，５３ｙを通じて放熱させることが可能となる。その結果、導光基板４１の板面に対向する位置に発熱部が存在する場合であっても、発熱部からの放熱性を向上させることができる。
【００６４】
・複数の導光路６３は、屈曲させられた部分である屈曲部６４をそれぞれ有しているため、導光部材６１に入射する光の進行方向を変更させて照射させることができる。そして、貫通孔５３ｘ，５３ｙは、上記隙間に対応する部分において、突出部４４（屈曲部６４に隣接する部分）を挟んで両側にそれぞれ設けられている。このため、屈曲部６４を有する導光路６３であっても、少なくとも突出部４４を除く両側には貫通孔５３ｘ，５３ｙが設けられているため、放熱性が低下することを抑制することができる。
【００６５】
・複数の屈曲部６４は同一直線上に並ぶ（連なる）ように配置されているため、複数の導光路６３を保持板４２に配置する際の面積効率を向上させることができる。そして、保持板４２には、上記隙間に対応する部分において、隣り合う屈曲部６４の間を埋めるように突出する突出部４４が設けられている。このため、導光路６３の屈曲部６４から漏れる光を突出部４４により遮ることができる。さらに、連なるように配置された複数の屈曲部６４の間を突出部４４で埋めることにより、突出部４４を介して複数の屈曲部６４が繋がることとなり、導光基板４１の強度を向上させることができる。
【００６６】
・保持板４２は矩形板状に形成されており、複数の屈曲部６４は保持板４２の対角線に沿って連なるように配置されている。このため、隣り合う屈曲部６４の間を埋めるように突出する突出部４４も、保持板４２の対角線に沿って配置され、複数の突出部４４が保持板４２を補強する筋交いの役割を果たすこととなる。さらに、突出部４４（屈曲部６４）まで延びる導光路６３が、筋交いにより支持される柱の役割を果たすことにもなる。したがって、上記隙間に対応する部分において、突出部４４の面積を小さくして貫通孔５３ｘ，５３ｙの面積を大きくしたとしても、導光基板４１の強度を効果的に向上させることができる。
【００６７】
・保持板４２は、矩形板状に形成され、短辺（一辺）に沿って板面に垂直な方向へ張り出した張出部４８を有しているため、張出部４８が補強リブの役割を果たすこととなる。そして、最も外側を通る導光路６３Ａ（導光路６３の１つ）は、張出部４８の側面に当たっているため、保持板４２に導光部材６１を組み付ける際に、張出部４８で導光部材６１の位置決めを行うことができ、組み付けの作業性を向上させることができる。さらに、導光路６３において張出部４８の側面の方向が張出部４８によって覆われているため、導光基板４１の外部から導光路６３へ意図しない光が入り込むことを抑制することができる。
【００６８】
・上記隙間に対応する部分において、張出部４８の設けられた短辺（一辺）と向かい合う短辺（一辺）に沿った部分に、隣り合う導光路６３の間を埋めるように突出する突出部４５が設けられている。このため、矩形状の保持板４２における射出部６８の設けられた短辺において、導光路６３から漏れる光を突出部４５により遮ることができる。さらに、突出部４５は、保持板４２の短辺に沿った部分において、複数の導光路６３（横部分６３ｘ）の間を埋めているため、突出部４５を介して複数の導光路６３が繋がることとなり、導光基板４１の強度を向上させることができる。
【００６９】
・貫通孔５３ｘ，５３ｙは、隣り合う導光路６３（横部分６３ｘ，縦部分６３ｙ）の間隔と等しい幅で形成されているため、導光路６３の間の各隙間において全幅にわたって貫通孔５３ｘ，５３ｙを形成することができる。そして、保持板４２において、導光路６３と重なる部分には貫通孔５３ｘ，５３ｙが設けられておらず、放熱性の向上に寄与しない部分は残されている。したがって、放熱性を更に向上させつつ、導光基板４１の強度が低下することを抑制することができる。
【００７０】
・導光基板４１の組立体４０では、複数の導光基板４１が積層されているため、その積層された状態でまとめて取り扱うことが可能となり、導光基板４１の組立体４０と他の部品との組立性を向上させることができる。さらに、対応する貫通孔５３ｘ，５３ｙ同士が重なるように複数の導光基板４１が積層されているため、複数の導光基板４１を組み立てた組立体４０であっても、重なって配置された複数の導光基板４１の貫通孔５３ｘ，５３ｙを通じて放熱させることが可能となる。その結果、導光基板４１の組立体４０において、導光基板４１の板面に対向する位置に発熱部が存在する場合であっても、発熱部からの放熱性を向上させることができる。
【００７１】
・短辺に沿って直線状に張り出した張出部４８を有する保持板４２（導光基板４１）を複数備えるため、複数の張出部４８によって導光基板４１の組立体４０の１つの側面全体が覆われることとなる。このため、導光基板４１の組立体４０を覆うカバー２１の一部を省略することができ、カバー２１の構造を簡素化することができる。そして、カバー２１の一側面を省略することにより、組み立て方向の自由度が増すため、組立を容易にすることができる。さらに、複数の張出部４８によって、導光基板４１の組立体４０の外部から導光路６３へ意図しない光が入り込むことを抑制することができる。
【００７２】
・貫通孔５３ｘ，５３ｙが隣り合う導光路６３（横部分６３ｘ，縦部分６３ｙ）の間隔と等しい幅で形成された導光基板４１を複数備えるため、導光路６３の間の各隙間において貫通孔５３ｘ，５３ｙの面積を拡大させることができる。このため、複数の導光基板４１を積層した場合であっても、重なって配置された複数の貫通孔５３ｘ，５３ｙにおいて、放熱性が低下することを抑制することができる。
【００７３】
・導光基板４１の組立体４０において複数の導光基板４１が積層されており、複数の導光基板４１の積層された状態がカバー２１によって保持される。そして、カバー２１には、保持板４２に設けられた貫通孔５３ｘ，５３ｙに対向する部分に貫通孔３３ｘ，３３ｙが設けられている。このため、導光基板４１の組立体４０にカバー２１を組み付けた導光ユニット２０であっても、組立体４０の貫通孔５３ｘ，５３ｙ及びカバー２１の貫通孔３３ｘ，３３ｙを通じて放熱させることが可能となる。その結果、導光ユニット２０において、カバー２１の貫通孔３３ｘ，３３ｙが設けられた側壁２６Ａ，２６Ｂに対向する位置に発熱部が存在する場合であっても、発熱部からの放熱性を向上させることができる。
【００７４】
・カバー２１は、導光基板４１の組立体４０において、導光路６３の入射部６７，射出部６８（両端部）及び張出部４８の双方が配置されていない側面を覆っている。そして、短辺に沿って直線状に張り出した張出部４８を有する導光基板４１を複数備えているため、複数の張出部４８によって導光基板４１の組立体４０の１つの側面全体が覆われている。したがって、導光基板４１の組立体４０に上記カバー２１を取り付けるだけで、組立体４０の複数の導光基板４１が積層された状態を保持するとともに、組立体４０において導光路６３の入射部６７，射出部６８が配置されていない側面を全て覆うことができる。このとき、導光基板４１の組立体４０において張出部４８の配置されている側面を覆わないカバー２１を用いることにより、積層された導光基板４１のずれ等を確認や修正しながら組み付けることが容易となる。その結果、導光ユニット２０の組立性を向上させることができるとともに、組み立て後には導光基板４１の外部から導光路６３へ意図しない光が入り込むことを抑制することができる。
【００７５】
・カバー２１に設けられた貫通孔３３ｘ，３３ｙは、保持板４２に設けられた対向する貫通孔５３ｘ，５３ｙと同一寸法にされている。すなわち、保持板４２の貫通孔５３ｘ，５３ｙに対して、カバー２１の貫通孔３３ｘ，３３ｙが小さ過ぎたり、大き過ぎたりしていない。このため、保持板４２の貫通孔５３ｘ，５３ｙからカバー２１の貫通孔３３ｘ，３３ｙへ効率的に放熱させるとともに、カバー２１の外部から導光路６３へ意図しない光が入り込むことを抑制することができる。
【００７６】
上記実施形態を、以下のように変形して実施することもできる。なお、上記実施形態と同一の部材については、同一の符号を付すことにより説明を省略する。
【００７７】
・上記隙間に対応する部分において、隣り合う導光路６３（横部分６３ｘ）の間を埋めるように突出する突出部４５を省略することもできる。
【００７８】
・図７に示すように、仕切り部１５３ｘ，１５３ｙによって、貫通孔５３ｘ，５３ｙをそれぞれ仕切るようにしてもよい。こうした構成によれば、貫通孔５３ｘ，５３ｙの寸法が大きくなり過ぎることを抑制することができるため、保持板１４２の強度を向上させることができる。要するに、貫通孔５３ｘ，５３ｙの数や、寸法（幅）、形状を適宜変更することができる。また、保持板４２の貫通孔５３ｘ，５３ｙと、カバー２１の貫通孔５３ｘ，５３ｙとで、その数や、寸法、形状を異ならせることもできる。
【００７９】
・上記実施形態では、上記隙間に対応する部分において、突出部４４（屈曲部６４に隣接する部分）を挟んで両側に、貫通孔５３ｘ，５３ｙをそれぞれ設けた。しかしながら、図８に示すように、保持板２４２に横貫通孔５３ｘのみを設けて、縦貫通孔５３ｙを設けないようにすることもできる。また、保持板２４２に縦貫通孔５３ｙのみを設けて、横貫通孔５３ｘを設けないようにすることもできる。
【００８０】
・上記実施形態では、保持板４２において、上記隙間に対応する部分に、隣り合う屈曲部６４の間を埋めるように突出する突出部４４を設けた。しかしながら、図９に示すように、保持板３４２において、上記隙間に対応する部分に、隣り合う屈曲部６４の間を埋めない突出部１４４を設けることもできる。こうした構成であっても、導光路６３の屈曲部６４から漏れる光を突出部１４４により遮ることができる。また、突出部４４，１４４を省略することもできる。
【００８１】
・上記実施形態では、保持板４２は矩形板状に形成されており、複数の屈曲部６４及び突出部４４を保持板４２の対角線に沿って連なるように配置した。しかしながら、複数の屈曲部６４及び突出部４４は、必ずしも保持板４２の対角線に沿って配置されていなくてもよい。
【００８２】
・導光部材６１及び保持板４２の形状を、矩形状以外の形状に適宜変更してもよい。また、導光路６３として、「Ｌ」字状のものを採用したが、直線状のものを採用することもできる。
【００８３】
・図１０に示すように、湾曲する底壁１２５を備えるカバー１２１を採用することもできる。要するに、底壁２５の形状等、カバー２１の形状を適宜変更することができる。
【００８４】
・図１１に示すように、カバー２２１が、組立体４０において保持板４２の張出部４８が設けられた側面を覆う側壁２６Ｃを備えていてもよい。こうした構成によれば、発熱部からの放熱性を向上させつつ、カバー２２１の強度を向上させることができる。この場合には、張出部４８を省略してもよいが、保持板４２に導光部材６１を組み付ける際に、張出部４８で導光部材６１の位置決めを行うためには、張出部４８を設けることが望ましい。
【００８５】
・上記実施形態では、導光基板４１が水平となるように、導光ユニット２０を配置したが、導光基板４１が垂直となる配置等、それ以外の配置を採用することもできる。こうした構成であっても、貫通孔３３ｘ，３３ｙ、導光路６３の間の隙間、及び各保持板４２の貫通孔５３ｘ，５３ｙを通じて、発熱部から輻射される熱をＰＬＣ１０の外部へ放出させることはできる。
【符号の説明】
【００８６】
１０…ＰＬＣ、１３…ＬＥＤチップ、２０…導光ユニット、２１，１２１，２２１…カバー、３３ｘ…横貫通孔（貫通孔）、３３ｙ…縦貫通孔（貫通孔）、４０…組立体、４１…導光基板、４２，１４２，２４２，３４２…保持板、５３ｘ…横貫通孔（貫通孔）、５３ｙ…縦貫通孔（貫通孔）、６１…導光部材、６３…導光路。
【図１】
2012168419.tif 000003
【図２】
2012168419.tif 000004
【図３】
2012168419.tif 000005
【図４】
2012168419.tif 000006
【図５】
2012168419.tif 000007
【図６】
2012168419.tif 000008
【図７】
2012168419.tif 000009
【図８】
2012168419.tif 000010
【図９】
2012168419.tif 000011
【図１０】
2012168419.tif 000012
【図１１】
2012168419.tif 000013